(57)【特許請求の範囲】
【請求項１】
廃棄物を熱分解してガス化する熱分解炉と、該熱分解炉の下流側に設けられる灰溶融炉と、該灰溶融炉から排出される排ガスを燃焼する二次燃焼室とを備えた熱分解ガス化溶融炉の燃焼制御装置において、
前記熱分解炉内に圧力検出装置を設け、該圧力検出装置による前記熱分解炉内圧の検出結果に基づいて熱分解炉二次燃焼空気量を制御するように構成し、前記熱分解炉内圧が閾値よりも大きい場合に、前記熱分解炉二次燃焼空気量を増加させていることを特徴とする熱分解ガス化溶融炉の燃焼制御装置。
【請求項２】
廃棄物を熱分解してガス化する熱分解炉と、該熱分解炉の下流側に設けられる灰溶融炉と、該灰溶融炉から排出される排ガスを燃焼する二次燃焼室とを備えた熱分解ガス化溶融炉の燃焼制御装置において、
前記熱分解炉内に圧力検出装置を設け、該圧力検出装置による前記熱分解炉内圧の検出結果に基づいて熱分解炉二次燃焼空気量、灰溶融炉燃焼空気量及び二次燃焼室燃焼空気量を制御するように構成し、前記熱分解炉内圧が閾値よりも大きい場合に、前記熱分解炉二次燃焼空気量を増加させていることを特徴とする熱分解ガス化溶融炉の燃焼制御装置。
【請求項３】
廃棄物を熱分解してガス化する熱分解炉と、該熱分解炉の下流側に設けられる灰溶融炉と、該灰溶融炉から排出される排ガスを燃焼する二次燃焼室とを備えた熱分解ガス化溶融炉の燃焼制御装置において、
前記熱分解炉内に圧力検出装置を設け、該圧力検出装置による前記熱分解炉内圧の検出結果に基づいて熱分解炉二次燃焼空気量及び灰溶融炉燃焼空気量を制御するように構成し、前記熱分解炉内圧が閾値よりも大きい場合に、前記熱分解炉二次燃焼空気量を増加させていることを特徴とする熱分解ガス化溶融炉の燃焼制御装置。
【請求項４】
廃棄物を熱分解してガス化する熱分解炉と、該熱分解炉の下流側に設けられる灰溶融炉と、該灰溶融炉から排出される排ガスを燃焼する二次燃焼室とを備えた熱分解ガス化溶融炉の燃焼制御装置において、
前記熱分解炉内に圧力検出装置を設け、該圧力検出装置による前記熱分解炉内圧の検出結果に基づいて熱分解炉二次燃焼空気量及び二次燃焼室燃焼空気量を制御するように構成し、前記熱分解炉内圧が閾値よりも大きい場合に、前記熱分解炉二次燃焼空気量を増加させていることを特徴とする熱分解ガス化溶融炉の燃焼制御装置。
【請求項５】
廃棄物を熱分解してガス化する熱分解炉と、該熱分解炉の下流側に設けられる灰溶融炉と、該灰溶融炉から排出される排ガスを燃焼する二次燃焼室と、これら熱分解炉、灰溶融炉及び二次燃焼室に関連して設けられる燃焼制御装置とを備えた熱分解ガス化溶融炉の燃焼制御方法において、
前記熱分解炉内に設けられた圧力検出装置により、前記熱分解炉内の圧力を検出する段階と、前記熱分解炉内の圧力の高低及び前記二次燃焼室の出口におけるＣＯ濃度、Ｏ2濃度の高低をそれぞれ判定する段階と、それぞれの判定結果に応じて熱分解炉二次燃焼空気量を前記燃焼制御装置により制御し、前記熱分解炉内圧が閾値よりも大きい場合に、前記熱分解炉二次燃焼空気量を増加させる段階とを含むことを特徴とする熱分解ガス化溶融炉の燃焼制御方法。
【請求項６】
廃棄物を熱分解してガス化する熱分解炉と、該熱分解炉の下流側に設けられる灰溶融炉と、該灰溶融炉から排出される排ガスを燃焼する二次燃焼室と、これら熱分解炉、灰溶融炉及び二次燃焼室に関連して設けられる燃焼制御装置とを備えた熱分解ガス化溶融炉の燃焼制御方法において、
前記熱分解炉内に設けられた圧力検出装置により、前記熱分解炉内の圧力を検出する段階と、前記熱分解炉内の圧力の高低及び前記二次燃焼室の出口におけるＣＯ濃度、Ｏ2濃度の高低をそれぞれ判定する段階と、それぞれの判定結果に応じて熱分解炉二次燃焼空気量、灰溶融炉燃焼空気量及び二次燃焼室燃焼空気量を前記燃焼制御装置により制御し、前記熱分解炉内圧が閾値よりも大きい場合に、前記熱分解炉二次燃焼空気量を増加させる段階とを含むことを特徴とする熱分解ガス化溶融炉の燃焼制御方法。
【請求項７】
廃棄物を熱分解してガス化する熱分解炉と、該熱分解炉の下流側に設けられる灰溶融炉と、該灰溶融炉から排出される排ガスを燃焼する二次燃焼室と、これら熱分解炉、灰溶融炉及び二次燃焼室に関連して設けられる燃焼制御装置とを備えた熱分解ガス化溶融炉の燃焼制御方法において、
前記熱分解炉内に設けられた圧力検出装置により、前記熱分解炉内の圧力を検出する段階と、前記熱分解炉内の圧力の高低及び前記二次燃焼室の出口におけるＣＯ濃度、Ｏ2濃度の高低をそれぞれ判定する段階と、それぞれの判定結果に応じて熱分解炉二次燃焼空気量及び灰溶融炉燃焼空気量を前記燃焼制御装置により制御し、前記熱分解炉内圧が閾値よりも大きい場合に、前記熱分解炉二次燃焼空気量を増加させる段階とを含むことを特徴とする熱分解ガス化溶融炉の燃焼制御方法。
【請求項８】
廃棄物を熱分解してガス化する熱分解炉と、該熱分解炉の下流側に設けられる灰溶融炉と、該灰溶融炉から排出される排ガスを燃焼する二次燃焼室と、これら熱分解炉、灰溶融炉及び二次燃焼室に関連して設けられる燃焼制御装置とを備えた熱分解ガス化溶融炉の燃焼制御方法において、
前記熱分解炉内に設けられた圧力検出装置により、前記熱分解炉内の圧力を検出する段階と、前記熱分解炉内の圧力の高低及び前記二次燃焼室の出口におけるＣＯ濃度、Ｏ2濃度の高低をそれぞれ判定する段階と、それぞれの判定結果に応じて熱分解炉二次燃焼空気量及び二次燃焼室燃焼空気量を前記燃焼制御装置により制御し、前記熱分解炉内圧が閾値よりも大きい場合に、前記熱分解炉二次燃焼空気量を増加させる段階とを含むことを特徴とする熱分解ガス化溶融炉の燃焼制御方法。
【請求項９】
前記熱分解炉内圧が閾値よりも低く、前記二次燃焼室の出口におけるＣＯ濃度が設定値よりも低く、かつ前記二次燃焼室の出口におけるＯ2濃度が設定値よりも高い場合は、熱分解炉二次燃焼空気量、灰溶融炉燃焼空気量及び二次燃焼室燃焼空気量の全てまたはいずれかを低減させ、一方、前記熱分解炉内圧が閾値よりも高い場合、前記二次燃焼室の出口におけるＣＯ濃度が設定値よりも高い場合、及び前記二次燃焼室の出口におけるＯ2濃度が設定値よりも低い場合は、熱分解炉二次燃焼空気量、灰溶融炉燃焼空気量及び二次燃焼室燃焼空気量の全てまたはいずれかを増加させることを特徴とする請求項５〜８のいずれかに記載の熱分解ガス化溶融炉の燃焼制御方法。
【発明の詳細な説明】
【０００１】
【発明の属する技術分野】
本発明は、都市ごみ等の廃棄物を熱分解してガス化し、このガス化したガスを高温燃焼して灰を溶融する熱分解ガス化溶融炉の燃焼制御装置及び燃焼制御方法に関するものである。
【０００２】
【従来の技術】
従来の熱分解ガス化溶融炉は、廃棄物を熱分解してガス化する熱分解炉と、この熱分解炉の下流側に設けられ、灰を溶融する灰溶融炉と、この灰溶融炉の下流側に設けられ、当該灰溶融炉から排出される排ガスを燃焼する二次燃焼室とを備えており、その資源化、減容化及び無害化を図るために、灰溶融炉からスラグとして取り出すと共に、二次燃焼室から排ガスを排出して灰ガス処理設備に導き、排ガスの廃熱を回収して発電用の蒸気を発生させるように構成されている。
【０００３】
ところで、このような熱分解ガス化溶融炉では、二次燃焼室の出口におけるＯ2濃度やＣＯ濃度を検出して、その検出した値が予め設定した値となるように灰溶融炉燃焼空気量、二次燃焼室燃焼空気量の操作を行っていた。
【０００４】
【発明が解決しようとする課題】
しかしながら、従来の熱分解ガス化溶融炉では、最下流側位置の二次燃焼室の出口においてＣＯ濃度などを検出し、その結果に基づいて燃焼空気量の操作を行っているので、燃焼場からの検出遅れが生じやすく、灰溶融炉及び二次燃焼室へ適確な燃焼空気量を供給することが困難であった。例えば、高カロリーのごみ供給によるごみ発熱量の急激な上昇や、ごみ供給量に大きな変動があった場合などには、灰溶融炉及び二次燃焼室のそれぞれに必要な量の空気が供給されず、燃焼空気不足によるＣＯ、ＤＸＮ、ＮＯｘ等の有害ガスが大量発生することが起こり、これを原因とする環境への悪影響をもたらすという問題を有していた。
【０００５】
本発明はこのような実状に鑑みてなされたものであり、その目的は、ごみ等の廃棄物熱量、廃棄物投入量の急激な上昇があっても、各部で必要な燃焼空気量を制御して供給し、燃焼空気不足から起こる有害ガスの大量発生を防ぎ、良好な環境を維持することが可能な熱分解ガス化溶融炉の燃焼制御装置及び燃焼制御方法を提供することにある。
【０００６】
【課題を解決するための手段】
上記従来技術の有する課題を解決するために、請求項１の本発明は、廃棄物を熱分解してガス化する熱分解炉と、該熱分解炉の下流側に設けられる灰溶融炉と、該灰溶融炉から排出される排ガスを燃焼する二次燃焼室とを備えた熱分解ガス化溶融炉の燃焼制御装置において、前記熱分解炉内に圧力検出装置を設け、該圧力検出装置による前記熱分解炉内圧の検出結果に基づいて熱分解炉二次燃焼空気量を制御するように構成し、前記熱分解炉内圧が閾値よりも大きい場合に、前記熱分解炉二次燃焼空気量を増加させている。
また、請求項２の本発明は、廃棄物を熱分解してガス化する熱分解炉と、該熱分解炉の下流側に設けられる灰溶融炉と、該灰溶融炉から排出される排ガスを燃焼する二次燃焼室とを備えた熱分解ガス化溶融炉の燃焼制御装置において、前記熱分解炉内に圧力検出装置を設け、該圧力検出装置による前記熱分解炉内圧の検出結果に基づいて熱分解炉二次燃焼空気量、灰溶融炉燃焼空気量及び二次燃焼室燃焼空気量を制御するように構成し、前記熱分解炉内圧が閾値よりも大きい場合に、前記熱分解炉二次燃焼空気量を増加させている。
さらに、請求項３の本発明は、廃棄物を熱分解してガス化する熱分解炉と、該熱分解炉の下流側に設けられる灰溶融炉と、該灰溶融炉から排出される排ガスを燃焼する二次燃焼室とを備えた熱分解ガス化溶融炉の燃焼制御装置において、前記熱分解炉内に圧力検出装置を設け、該圧力検出装置による前記熱分解炉内圧の検出結果に基づいて熱分解炉二次燃焼空気量及び灰溶融炉燃焼空気量を制御するように構成し、前記熱分解炉内圧が閾値よりも大きい場合に、前記熱分解炉二次燃焼空気量を増加させている。
そして、請求項４の本発明は、廃棄物を熱分解してガス化する熱分解炉と、該熱分解炉の下流側に設けられる灰溶融炉と、該灰溶融炉から排出される排ガスを燃焼する二次燃焼室とを備えた熱分解ガス化溶融炉の燃焼制御装置において、前記熱分解炉内に圧力検出装置を設け、該圧力検出装置による前記熱分解炉内圧の検出結果に基づいて熱分解炉二次燃焼空気量及び二次燃焼室燃焼空気量を制御するように構成し、前記熱分解炉内圧が閾値よりも大きい場合に、前記熱分解炉二次燃焼空気量を増加させている。
【０００７】
一方、請求項５の本発明は、廃棄物を熱分解してガス化する熱分解炉と、該熱分解炉の下流側に設けられる灰溶融炉と、該灰溶融炉から排出される排ガスを燃焼する二次燃焼室と、これら熱分解炉、灰溶融炉及び二次燃焼室に関連して設けられる燃焼制御装置とを備えた熱分解ガス化溶融炉の燃焼制御方法において、  前記熱分解炉内に設けられた圧力検出装置により、前記熱分解炉内の圧力を検出する段階と、前記熱分解炉内の圧力の高低及び前記二次燃焼室の出口におけるＣＯ濃度、Ｏ2濃度の高低をそれぞれ判定する段階と、それぞれの判定結果に応じて熱分解炉二次燃焼空気量を前記燃焼制御装置により制御し、前記熱分解炉内圧が閾値よりも大きい場合に、前記熱分解炉二次燃焼空気量を増加させる段階とを含んでいる。
また、請求項６の本発明は、廃棄物を熱分解してガス化する熱分解炉と、該熱分解炉の下流側に設けられる灰溶融炉と、該灰溶融炉から排出される排ガスを燃焼する二次燃焼室と、これら熱分解炉、灰溶融炉及び二次燃焼室に関連して設けられる燃焼制御装置とを備えた熱分解ガス化溶融炉の燃焼制御方法において、  前記熱分解炉内に設けられた圧力検出装置により、前記熱分解炉内の圧力を検出する段階と、前記熱分解炉内の圧力の高低及び前記二次燃焼室の出口におけるＣＯ濃度、Ｏ2濃度の高低をそれぞれ判定する段階と、それぞれの判定結果に応じて熱分解炉二次燃焼空気量、灰溶融炉燃焼空気量及び二次燃焼室燃焼空気量を前記燃焼制御装置により制御し、前記熱分解炉内圧が閾値よりも大きい場合に、前記熱分解炉二次燃焼空気量を増加させる段階とを含んでいる。
さらに、請求項７の本発明は、廃棄物を熱分解してガス化する熱分解炉と、該熱分解炉の下流側に設けられる灰溶融炉と、該灰溶融炉から排出される排ガスを燃焼する二次燃焼室と、これら熱分解炉、灰溶融炉及び二次燃焼室に関連して設けられる燃焼制御装置とを備えた熱分解ガス化溶融炉の燃焼制御方法において、
前記熱分解炉内に設けられた圧力検出装置により、前記熱分解炉内の圧力を検出する段階と、前記熱分解炉内の圧力の高低及び前記二次燃焼室の出口におけるＣＯ濃度、Ｏ2濃度の高低をそれぞれ判定する段階と、それぞれの判定結果に応じて熱分解炉二次燃焼空気量及び灰溶融炉燃焼空気量を前記燃焼制御装置により制御し、前記熱分解炉内圧が閾値よりも大きい場合に、前記熱分解炉二次燃焼空気量を増加させる段階とを含んでいる。
そして、請求項８の本発明は、廃棄物を熱分解してガス化する熱分解炉と、該熱分解炉の下流側に設けられる灰溶融炉と、該灰溶融炉から排出される排ガスを燃焼する二次燃焼室と、これら熱分解炉、灰溶融炉及び二次燃焼室に関連して設けられる燃焼制御装置とを備えた熱分解ガス化溶融炉の燃焼制御方法において、
前記熱分解炉内に設けられた圧力検出装置により、前記熱分解炉内の圧力を検出する段階と、前記熱分解炉内の圧力の高低及び前記二次燃焼室の出口におけるＣＯ濃度、Ｏ2濃度の高低をそれぞれ判定する段階と、それぞれの判定結果に応じて熱分解炉二次燃焼空気量及び二次燃焼室燃焼空気量を前記燃焼制御装置により制御し、前記熱分解炉内圧が閾値よりも大きい場合に、前記熱分解炉二次燃焼空気量を増加させる段階とを含んでいる。
【０００８】
また、本発明において、前記熱分解炉内圧が閾値よりも低く、前記二次燃焼室の出口におけるＣＯ濃度が設定値よりも低く、かつ前記二次燃焼室の出口におけるＯ2濃度が設定値よりも高い場合は、熱分解炉二次燃焼空気量、灰溶融炉燃焼空気量及び二次燃焼室燃焼空気量の全てまたはいずれかを低減させ、一方、前記熱分解炉内圧が閾値よりも高い場合、前記二次燃焼室の出口におけるＣＯ濃度が設定値よりも高い場合、及び前記二次燃焼室の出口におけるＯ2濃度が設定値よりも低い場合は、熱分解炉二次燃焼空気量、灰溶融炉燃焼空気量及び二次燃焼室燃焼空気量の全てまたはいずれかを増加させることが好ましい。
【０００９】
【発明の実施の形態】
以下、本発明における熱分解ガス化溶融炉の燃焼制御装置及び燃焼制御方法を図示の実施の形態に基づいて詳細に説明する。ここで、図１は本発明の実施形態に係る熱分解ガス化溶融炉の燃焼制御装置の制御フロー図、図２は本発明の実施形態に係る熱分解ガス化溶融炉の燃焼制御方法の制御ブロックチャートである。
【００１０】
本実施形態の熱分解ガス化溶融炉１は、図１に示す如く、ごみ等の廃棄物２を熱分解してガス化する熱分解炉３と、当該熱分解炉３の下流側に設けられる灰溶融炉４と、当該灰溶融炉４から排出される排ガス５を燃焼する二次燃焼室６とを備えており、これら熱分解炉３、灰溶融炉４及び二次燃焼室６には、燃焼制御装置７によって制御された熱分解炉二次燃焼空気８、灰溶融炉燃焼空気９及び二次燃焼室燃焼空気１０が供給されるようになっている。
【００１１】
上記熱分解炉３の側面には、所定量の廃棄物２を炉内に供給する廃棄物供給装置１１が設けられている。このため、供給装置１１は、廃棄物２を投入するホッパ１２と、モータ１３によって回転駆動され、廃棄物２を搬送するスクリュ１４と、廃棄物２を熱分解炉３の投入口（図示せず）へ案内するシュート１５を有している。そして、熱分解炉３の炉内上部は、供給ライン１６を介して灰溶融炉４に連通されており、熱分解炉３の炉内底部には、図示しない空気供給源から送られ、廃棄物２の熱分解を行う際に用いられる熱分解炉一次空気１７が供給されるように構成されている。
【００１２】
また、本実施形態に係る熱分解ガス化溶融炉１の燃焼制御装置７には、投入する廃棄物２の発熱量の急激な上昇や供給量の大きな変動時において、熱分解炉３で熱分解ガスが大量に発生することにより上昇する熱分解炉内圧を検出する炉内圧力検出装置１８が配置されている。この炉内圧力検出装置１８は、最初に設定した炉内圧力の閾値（例えば、−２０ｍｍＨｇ（−２６６６Ｐａ）の負圧）と比べて圧力が上昇しているどうか（例えば、０ｍｍＨｇ（０Ｐａ）以上の正圧）を検出するものである。
【００１３】
したがって、圧力検出装置１８は、熱分解炉３の炉内圧力を検出すべく、熱分解炉３内の上方位置に設けられており、図１の点線で示す如く、燃焼制御装置７と電気的に接続されている。燃焼制御装置７は、圧力検出装置１８の検出結果に基づいて熱分解炉二次燃焼空気８、灰溶融炉燃焼空気９及び二次燃焼室燃焼空気１０の供給量の少なくとも１つを制御するように構成されており、これら燃焼空気量の全てまたはいずれかを増加させることにより燃焼空気不足とならないように制御している。
なお、燃焼制御装置７は、通常燃焼時において、二次燃焼室６の出口におけるＯ2濃度、ＣＯ濃度が設定値となるように、熱分解炉二次燃焼空気８、灰溶融炉燃焼空気９及び二次燃焼室燃焼空気１０の供給量の全てまたはいずれかを増減させている。そのため、二次燃焼室６の出口におけるＯ2濃度、ＣＯ濃度の設定値は、環境への影響を考慮して予め決められている。
【００１４】
上記灰溶融炉４は、供給ライン１６より送給された熱分解ガス、未分解残渣、チャー、灰等の混合物を高温燃焼して灰を溶融するものであり、炉底の出滓口１９から取り出された溶融スラグ２０は、図示しないスラグ冷却槽などを経て排出されるようになっている。
【００１５】
上記二次燃焼室６は、排ガス５を再度燃焼するために設けられたものであり、灰溶融炉４の下流側の上方位置に連通して設けられている。また、二次燃焼室６の頂部出口には、排ガス５を下流側の排ガス処理設備（図示せず）に導く排ガスダクト２１が接続されており、この排ガスダクト２１の途中には、二次燃焼室６の出口におけるＯ2濃度及びＣＯ濃度を検出する濃度検出装置２２が設けられている。この濃度検出装置２２は、図１の点線で示す如く、燃焼制御装置７と電気的に接続されている。
【００１６】
本発明の実施形態に係る熱分解ガス化溶融炉１においては、図１に示す如く、ごみ等の廃棄物２が供給装置１１により熱分解炉３に供給されると、その廃棄物２は、一次空気１７及び二次燃焼空気８が送給された炉内で部分燃焼され、その熱で乾燥熱分解される。そして、熱分解炉３で発生した熱分解ガス、未分解残渣、チャー、灰等の混合物は、供給ライン１６を介して図示しない投入口から灰溶融炉４に投入され、燃焼空気９が供給された炉内で高温燃焼され、灰が加熱溶融されることになる。
また、灰溶融炉４から排出された排ガス５が上方の二次燃焼室６に流れ込むと、燃焼空気１０が供給された室内で再度燃焼され、排ガスダクト２１を経て下流側の排ガス処理設備（図示せず）に導かれることになる。
【００１７】
次に、本発明の実施形態に係る熱分解ガス化溶融炉１の燃焼制御方法について説明する。
本実施形態の熱分解ガス化溶融炉１では、燃焼制御装置７及び炉内圧力検出装置１８を用いた燃焼制御方法によって、熱分解炉３の炉内圧力の急激な上昇時に各部へ供給する燃焼空気量を増加させる制御が行われている。すなわち、本実施形態の燃焼制御方法は、熱分解炉３の炉内に設けられている炉内圧力検出装置１８により熱分解炉３の炉内圧力を検出する段階と、熱分解炉３の炉内圧力の高低及び二次燃焼室６の出口におけるＣＯ濃度、Ｏ2濃度の高低をそれぞれ判定する段階と、それぞれの判定結果に応じて熱分解炉二次燃焼空気８、灰溶融炉燃焼空気９及び二次燃焼室燃焼空気１０の少なくとも１つを燃焼制御装置７により制御する段階とを含んでいる。
【００１８】
このような段階を含む燃焼制御方法においては、図２に示す如く、まず、熱分解炉３の炉内圧力の閾値を最初に設定しておく。次いで、炉内圧力検出装置１８により炉内圧力を検出し、この炉内圧力が閾値よりも低く、二次燃焼室６の出口におけるＣＯ濃度が設定値よりも低く、かつ二次燃焼室６の出口におけるＯ2濃度が設定値よりも高い場合は、その程度に応じて、熱分解炉二次燃焼空気８、灰溶融炉燃焼空気９及び二次燃焼室燃焼空気１０の供給量の全て、またはいずれか１つあるいは２つを低減させる。
一方、熱分解炉３の炉内内圧が閾値よりも高い場合、二次燃焼室６の出口におけるＣＯ濃度が設定値よりも高い場合、及び二次燃焼室６の出口におけるＯ2濃度が設定値よりも低い場合は、その程度に応じて、熱分解炉二次燃焼空気８、灰溶融炉燃焼空気９及び二次燃焼室燃焼空気１０の供給量の全て、またはいずれか１つあるいは２つを増加させる。
【００１９】
本発明の実施形態に係る熱分解ガス化溶融炉１の燃焼制御装置７は、熱分解炉３の炉内圧力を検出する炉内圧力検出装置１８を設けており、この炉内圧力検出装置１８の検出結果に基づいて熱分解炉二次燃焼空気８、灰溶融炉燃焼空気９及び二次燃焼室燃焼空気１０の供給量の全てまたはいずれかを制御するようにしているため、炉内圧力検出装置１８が熱分解炉３の炉内圧力を検出することで、ごみ等の発熱量や投入量の急激な上昇による熱分解ガスの大量発生を容易に知ることが可能になり、燃焼場からの検出遅れはほとんど発生せず、制御された必要な量の燃焼空気８，９，１０を熱分解炉３、灰溶融炉４及び二次燃焼室６へ迅速に送給することができる。したがって、本実施形態の燃焼制御装置７を熱分解ガス化溶融炉１に適用すれば、熱分解炉３の炉内圧力の上昇時においても、熱分解炉３、灰溶融炉４及び二次燃焼室６のそれぞれに対して燃焼空気が不足するということは起こらず、灰溶融炉４等における還元燃焼によってＣＯ、ＤＸＮ、ＮＯｘ等の有害ガスの大量発生を防止できる。
【００２０】
以上、本発明の実施形態につき述べたが、本発明は既述の実施形態に限定されるものではなく、本発明の技術的思想に基づいて各種の変形及び変更が可能である。
【００２１】
【発明の効果】
上述の如く、請求項１の本発明に係る熱分解ガス化溶融炉の燃焼制御装置は、廃棄物を熱分解してガス化する熱分解炉と、該熱分解炉の下流側に設けられる灰溶融炉と、該灰溶融炉から排出される排ガスを燃焼する二次燃焼室とを備えたものであって、前記熱分解炉内に圧力検出装置を設け、該圧力検出装置による前記熱分解炉内圧の検出結果に基づいて熱分解炉二次燃焼空気量を制御するように構成し、前記熱分解炉内圧が閾値よりも大きい場合に、前記熱分解炉二次燃焼空気量を増加させているので、ごみ等の廃棄物熱量、廃棄物投入量の急激な上昇があっても、熱分解炉の炉内圧力の検出により熱分解ガスの大量発生の状態を容易に知ることができ、その結果、熱分解炉、灰溶融炉及び二次燃焼室の各部で必要な燃焼空気量を制御して供給し、燃焼空気不足から起こるＣＯ、ＤＸＮ、ＮＯｘ等の有害ガスの大量発生を防ぎ、良好な環境を維持することができる。
また、請求項２の本発明に係る熱分解ガス化溶融炉の燃焼制御装置は、廃棄物を熱分解してガス化する熱分解炉と、該熱分解炉の下流側に設けられる灰溶融炉と、該灰溶融炉から排出される排ガスを燃焼する二次燃焼室とを備えたものであって、前記熱分解炉内に圧力検出装置を設け、該圧力検出装置による前記熱分解炉内圧の検出結果に基づいて熱分解炉二次燃焼空気量、灰溶融炉燃焼空気量及び二次燃焼室燃焼空気量を制御するように構成し、前記熱分解炉内圧が閾値よりも大きい場合に、前記熱分解炉二次燃焼空気量を増加させているので、上記発明と同様の効果が得られる。
さらに、請求項３の本発明に係る熱分解ガス化溶融炉の燃焼制御装置は、廃棄物を熱分解してガス化する熱分解炉と、該熱分解炉の下流側に設けられる灰溶融炉と、該灰溶融炉から排出される排ガスを燃焼する二次燃焼室とを備えたものであって、前記熱分解炉内に圧力検出装置を設け、該圧力検出装置による前記熱分解炉内圧の検出結果に基づいて熱分解炉二次燃焼空気量及び灰溶融炉燃焼空気量を制御するように構成し、前記熱分解炉内圧が閾値よりも大きい場合に、前記熱分解炉二次燃焼空気量を増加させているので、上記発明と同様の効果が得られる。
そして、請求項４の本発明に係る熱分解ガス化溶融炉の燃焼制御装置は、廃棄物を熱分解してガス化する熱分解炉と、該熱分解炉の下流側に設けられる灰溶融炉と、該灰溶融炉から排出される排ガスを燃焼する二次燃焼室とを備えたものであって、前記熱分解炉内に圧力検出装置を設け、該圧力検出装置による前記熱分解炉内圧の検出結果に基づいて熱分解炉二次燃焼空気量及び二次燃焼室燃焼空気量を制御するように構成し、前記熱分解炉内圧が閾値よりも大きい場合に、前記熱分解炉二次燃焼空気量を増加させているので、上記発明と同様の効果が得られる。
【００２２】
請求項５の本発明に係る熱分解ガス化溶融炉の燃焼制御方法は、廃棄物を熱分解してガス化する熱分解炉と、該熱分解炉の下流側に設けられる灰溶融炉と、該灰溶融炉から排出される排ガスを燃焼する二次燃焼室と、これら熱分解炉、灰溶融炉及び二次燃焼室に関連して設けられる燃焼制御装置とを備えたものであって、前記熱分解炉内に設けられた圧力検出装置により、前記熱分解炉内の圧力を検出する段階と、前記熱分解炉内の圧力の高低及び前記二次燃焼室の出口におけるＣＯ濃度、Ｏ2濃度の高低をそれぞれ判定する段階と、それぞれの判定結果に応じて熱分解炉二次燃焼空気量を前記燃焼制御装置により制御し、前記熱分解炉内圧が閾値よりも大きい場合に、前記熱分解炉二次燃焼空気量を増加させる段階とを含んでいるので、上記発明と同様の効果が得られる上、各部で必要な燃焼空気量を調整しながら、最適な条件で熱分解ガス化溶融炉を運転操作することができる。
また、請求項６の本発明に係る熱分解ガス化溶融炉の燃焼制御方法は、廃棄物を熱分解してガス化する熱分解炉と、該熱分解炉の下流側に設けられる灰溶融炉と、該灰溶融炉から排出される排ガスを燃焼する二次燃焼室と、これら熱分解炉、灰溶融炉及び二次燃焼室に関連して設けられる燃焼制御装置とを備えたものであって、前記熱分解炉内に設けられた圧力検出装置により、前記熱分解炉内の圧力を検出する段階と、前記熱分解炉内の圧力の高低及び前記二次燃焼室の出口におけるＣＯ濃度、Ｏ2濃度の高低をそれぞれ判定する段階と、それぞれの判定結果に応じて熱分解炉二次燃焼空気量、灰溶融炉燃焼空気量及び二次燃焼室燃焼空気量を前記燃焼制御装置により制御し、前記熱分解炉内圧が閾値よりも大きい場合に、前記熱分解炉二次燃焼空気量を増加させる段階とを含んでいるので、上記発明と同様の効果が得られる。
さらに、請求項７の本発明に係る熱分解ガス化溶融炉の燃焼制御方法は、廃棄物を熱分解してガス化する熱分解炉と、該熱分解炉の下流側に設けられる灰溶融炉と、該灰溶融炉から排出される排ガスを燃焼する二次燃焼室と、これら熱分解炉、灰溶融炉及び二次燃焼室に関連して設けられる燃焼制御装置とを備えたものであって、前記熱分解炉内に設けられた圧力検出装置により、前記熱分解炉内の圧力を検出する段階と、前記熱分解炉内の圧力の高低及び前記二次燃焼室の出口におけるＣＯ濃度、Ｏ2濃度の高低をそれぞれ判定する段階と、それぞれの判定結果に応じて熱分解炉二次燃焼空気量及び灰溶融炉燃焼空気量を前記燃焼制御装置により制御し、前記熱分解炉内圧が閾値よりも大きい場合に、前記熱分解炉二次燃焼空気量を増加させる段階とを含んでいるので、上記発明と同様の効果が得られる。
そして、請求項８の本発明に係る熱分解ガス化溶融炉の燃焼制御方法は、廃棄物を熱分解してガス化する熱分解炉と、該熱分解炉の下流側に設けられる灰溶融炉と、該灰溶融炉から排出される排ガスを燃焼する二次燃焼室と、これら熱分解炉、灰溶融炉及び二次燃焼室に関連して設けられる燃焼制御装置とを備えたものであって、前記熱分解炉内に設けられた圧力検出装置により、前記熱分解炉内の圧力を検出する段階と、前記熱分解炉内の圧力の高低及び前記二次燃焼室の出口におけるＣＯ濃度、Ｏ2濃度の高低をそれぞれ判定する段階と、それぞれの判定結果に応じて熱分解炉二次燃焼空気量及び二次燃焼室燃焼空気量を前記燃焼制御装置により制御し、前記熱分解炉内圧が閾値よりも大きい場合に、前記熱分解炉二次燃焼空気量を増加させる段階とを含んでいるので、上記発明と同様の効果が得られる。
【図面の簡単な説明】
【図１】本発明の実施形態に係る熱分解ガス化溶融炉の燃焼制御装置の制御フローを示す概念図である。
【図２】本発明の実施形態に係る熱分解ガス化溶融炉の燃焼制御方法を示す制御ブロックチャートである。
【符号の説明】
１  熱分解ガス化溶融炉
２  廃棄物
３  熱分解炉
４  灰溶融炉
５  排ガス
６  二次燃焼室
７  燃焼制御装置
８  熱分解炉二次燃焼空気
９  灰溶融炉燃焼空気
１０  二次燃焼室燃焼空気
１１  廃棄物供給装置
１６  供給ライン
１７  熱分解炉一次空気
１８  炉内圧力検出装置
２１  排ガスダクト
２２  Ｏ2濃度及びＣＯ濃度検出装置
【図１】
0003868315.tif 000002
【図２】
0003868315.tif 000003